(57)【要約】      （修正有）【課題】道具や連結のための金具を使わず組み立て分解ができ、また、配送時の体積を小さくし、梱包を容易にして、配送コストを抑え、なおかつインテリアとしても高度な価値を有するサークルや柵、箱等のためのフレーム連結構造を提供する。【解決手段】フレームの上下部材の両端部に、相欠き組みの形状を設けそのフレーム端部に連結棒を挿入し複数のフレームを連結するフレーム連結構造である。また、フレーム端部の構成によって、一つのフレームを持ち上げても連結が崩れないようにした。さらに、フレーム端部の設け方により、連結部を固定にも、回転自在にもなり、フレーム上下部材を繋ぐ間の意匠も含め、用途やインテリアによって自由に設計できるフレーム連結構造とする。【選択図】図１
0003144336.tif 000002
【実用新案登録請求の範囲】
【請求項１】
複数のフレームの上部部材及び下部部材の各端部に相欠部を設け、その端部に連結棒を挿入し、複数のフレームを連結するフレーム連結構造であって、
前記のフレームの上下部材    の一端部に設けられる相欠部を外側に、前記フレームの上下部材の他端部に設けられる相欠部を内側になるように、構成し
たことを特徴とするフレーム連結構造。
【請求項２】
この構造において、フレーム端部を固定するように設けたときは、あらかじめ設計したとおりの形状の、柵あるいは箱となる。また、フレーム端部を連結棒を
軸としてフレームが回転自在になるように設けたときは、複数のフレームを連結すると変形自在な多角形の柵となる。
またこの時、一本の連結棒を抜くと、そのフレームの他端の連結部が、ちょうど連結棒を軸とする丁番のようになり、連結棒を抜いたフレームは、扉にもなる。このようにフレーム端部の設け方により、連結棒を固定にも、回転自在にもなるフレーム連結構造。
【請求項３】
このフレーム連結構造を使いフレームの上部部材と下部部材の間を、板で繋ぎ、相欠部を直角に固定するように設けたフレーム４枚を、連結固定して四角い囲いを作り、地板と天板を組み込んだ六面を構成した箱。
【請求項４】
このフレーム連結構造を使いフレームの上部部材と下部部材の間を、複数の棒で繋ぎ、フレーム端部を回転自在となるように設けた柵を、３枚以上の複数枚連結して囲いを作る構成とした柵。
【考案の詳細な説明】
【技術分野】
【０００１】
本考案は、組み立て分解が可能なフレーム連結構造に関するものである。
【背景技術】
【０００２】
従来の組み立て分解が可能なフレーム連結構造は、特殊な金具やねじ等を使うものであった。（特許文献１）その場合往々にしてドライバー等の道具も必要であった。また、デザイン性に乏しい物であった。（特許文献２、３）
【特許文献１】実用新案登録第３０４８９７８号公報
【特許文献２】実用新案登録第３０６９１７９号公報
【特許文献３】実用新案登録第３０１５７４０号公報
【考案の開示】
【考案が解決しようとする課題】
【０００３】
解決しようとする問題点は、道具や連結のために金具を使わずに組み立て分解ができ、また配送時の体積を小さくし、梱包を容易にし、配送コストを抑え、なおかつインテリアとしても高度な価値を有するサークルや柵、箱等のためのフレーム連結構造を提供する点である。
【課題を解決するための手段】
【０００４】
本考案は、フレームの上下部材の両端部に、相欠き組みの形状を設け、そのフレーム端部に連結棒を挿入し複数のフレームを連結するフレーム連結構造である。
また、フレーム端部の構成によって、一つのフレームを持ち上げても連結が崩れないようにした。さらに、フレーム端部の設け方により、連結部を固定にも、回転自在にもなり、フレーム上下部材を繋ぐ間の意匠を含め、用途やインテリアによって自由に設計できるフレーム連結構造を考案した。
【考案の効果】
【０００５】
本考案のフレーム連結構造は、道具や連結のための金具を使わず、フレームを組み合わせて連結棒の抜き差しだけという、大変簡単に短時間で組み立て分解ができる。
またフレーム連結構造を使った、犬舎や,ベビーサークルを、比較的容易に持ち上げて移動させることができる。そして商品として分解して、体積を小さくすることができ、梱包配送といった部分のコストの削減にもなる。   もちろんお買い求め頂いたお客様にとっても、組み立て分解が容易なことは商品のアピールに役立つ。さらに、意匠設計の自由度が高く、デザイン性の高い商品を作ることができる
【考案を実施するための最良の形態】
【０００６】
図１は、本考案を使った犬舎の斜図と、その分解図である。図２は、フレームを直角に連結固定するときの連結部の斜図とその分解図である。図３はフレームを回転自在に連結するときの連結部の斜図とその分解図である。 図４は本考案を使ったベビーサークルの６枚組の平面図２パターン（a）(b)と、正六角形に組んだ時の立面図（ｃ）である。
【０００７】
図２に示すように、連結部１２は、一つのフレーム６の上部部材１３の端部２ａ、下部部材１４の端部２ｂ、連結するもう一つのフレーム５の上部部材１３の端部３ｂ、下部部材１４の端部３ａを、それぞれ ２ａと３ｂ、２ｂと３ａが組み合わさるように相欠き組みの形状を設け、フレーム端部（２ａ２ｂ、３ａ３ｂ）のそれぞれに、連結棒１が上から下まで貫通するように穴を開けたもので、フレームの 上下部材１３、１４を板４でつないで固定し二つのフレーム５、６を組み合わせ、連結棒１を挿入することにより連結する構造である。
【０００８】
図２に示すように、２ａ、２ｂのようにフレーム端部の相欠きを内側に３ａ、３ｂのようにフレーム端部の相欠きを外側にして組み合わせる構成にすることにより、５、６のどちらか片方のフレームを持ち上げても連結部１２が崩れることがなく、連結棒１を引き抜くことによってのみ連結を外せる構造とした。
【０００９】
図２に示すこの構造の実施形態としては、連結部１２のフレーム端部を直角に固定するように設けて、図１犬舎１５のような、フレーム５を３枚と、同じフレームに出入り口１６を作ったもの６の１枚を連結固定して四角い囲いを作り、地板７と天板８を組み込んで箱状にした図１犬舎１５がある。
【００１０】
図３のように連結部１２のフレーム端部の相欠き２ｃ、２ｄ、３ｃ、３ｄ、に、隙間９ができるようにつくることにより、連結棒１を軸としてフレームが回転自在になる構造を使い、フレームの上下部材１３、 １４を棒部材１０数本で固定し、柵状のフレーム１１を作り、３枚以上の複数枚をつなぎ合わせ囲い状にした、図４の変幻自在な、多角形で構成されたベビーサークル１７がある。
【産業上の利用可能性】
【００１１】
本願考案は、組み立て分解が可能なフレーム連結構造に関するものであり、犬小屋、あるいはベビーサークル、ドッグケージに関する。
【図面の簡単な説明】
【００１２】
【図１】直角に連結固定できる壁面部材を使った室内用犬舎の実施方法を示した図であり、その分解図である。
【図２】フレームを直角に連結固定するときの連結部の構造図である。
【図３】フレームを回転自在に連結するときの連結部の構造図である。
【図４】連結部が回転自在の構成のフレーム６枚を使ったベビーサークルあるいはドッグケージの実施方法を示した図である。
【符号の説明】
【００１３】
１：連結棒
２ａ：フレームの上部部材の端部
２ｂ：フレームの下部部材の端部
３ａ：フレームの上部部材の端部
３ｂ：フレームの下部部材の端部
２ｃ：フレームの上部部材の端部
２ｄ：フレームの下部部材の端部
３ｃ：フレームの上部部材の端部
３ｄ：フレームの下部部材の端部
４:フレームの上下部材をつなぐ板
５：フレーム
６：出入口を設けたフレーム
７：犬舎の地板
８：犬舎の天板
９：隙間
１０：棒状部材
１１：フレーム
１２：連結部
１３フレームの上部部材
１４：フレームの下部部材
１５：犬舎
１６：犬の出入り口
１７：ベビーサークル
【図１】
0003144336.tif 000003
【図２】
0003144336.tif 000004
【図３】
0003144336.tif 000005
【図４】
0003144336.tif 000006
【手続補正書】
【提出日】平成20年6月6日(2008.6.6)
【手続補正１】
【補正対象書類名】実用新案登録請求の範囲
【補正対象項目名】全文
【補正方法】変更
【補正の内容】
【実用新案登録請求の範囲】
【請求項１】
複数のフレームの上部部材及び下部部材の各端部に相欠部を設け、その端部に連結棒を挿入し、複数のフレームを連結するフレーム連結構造であって、前記のフレームの上下部材の一端部に設けられる相欠部を外側に、前記フレームの上下部材の他端部に設けられる相欠部を内側になるように、構成したことを特徴とするフレーム連結構造。
【請求項２】
前記複数のフレームの端部を固定するように設けたときは、あらかじめ設計したとおりの形状の柵あるいは箱となり、
前記複数のフレームの端部を連結棒を軸としてフレームが回転自在になるように設けたときは、前記複数のフレームを連結すると変形自在な多角形の柵となり、
前記連結棒の内の一本を抜くと、そのフレームの他端の連結部が、ちょうど連結棒を軸とする丁番のようになり、連結棒を抜いたフレームは、扉にもなる請求項1記載のフレーム連結構造。
【請求項３】
請求項１記載のフレーム連結構造を使いフレームの上部部材と下部部材の間を板で繋ぎ、相欠部を直角に固定するように設けたフレーム４枚を連結固定して四角い囲いを作り、地板と天板を組み込んだ六面を構成した箱。
【請求項４】
請求項１記載のフレーム連結構造を使いフレームの上部部材と下部部材の間を複数の棒で繋ぎ、フレーム端部を回転自在となるように設けた柵を３枚以上の複数枚連結して囲いを作る構成とした柵。